【事件の表示】
　特願２００７−３２８０２１「電子機器および操作方法」拒絶査定不服審判事件〔平成２１年　７月　９日出願公開、特開２００９−１５２８０６〕について、次のとおり審決する。
【結　論】
　本件審判の請求は、成り立たない。
【理　由】
第１．手続の経緯 
　本願は、平成１９年１２月１９日の出願であって、平成２３年１１月１１日付けの拒絶理由通知に対し、平成２４年　１月１３日付けで手続補正がなされたところ、同年　４月　４日付けで拒絶査定がなされ、これに対し、同年　７月　９日に拒絶査定に対する審判請求がなされるとともに、同日付けで手続補正がなされたものである。
　
第２．補正却下の決定
［結論］
　平成２４年　７月　９日付けの手続補正を却下する。
　
［理由］
１．本件補正
　本件補正は、平成２４年　１月１３日付け手続補正で補正された明細書の特許請求の範囲の請求項３について、次のように補正することを含むものである。
　
（１）補正前
「　【請求項１】
　アプリケーションに係る操作入力を時系列に並べた操作モジュールを生成する操作モジュール生成部と、
　前記生成された操作モジュールを記憶する記憶部と、
　前記操作モジュールの実行入力に応じて、該操作モジュールの前記アプリケーションに係る操作入力を順次実行する実行部と、
を備えることを特徴とする電子機器。
　　【請求項２】
　ユーザによる開始入力に応じて前記操作モジュール生成部による操作モジュールの生成を開始し、ユーザによる終了入力に応じて該操作モジュール生成部による操作モジュールの生成を終了する操作制御部をさらに備えることを特徴とする請求項１に記載の電子機器。
　　【請求項３】
　前記記憶部に記憶された操作モジュール単位または該操作モジュールを構成する操作入力単位でその内容を把握可能に表示する表示部をさらに備えることを特徴とする請求項１または２に記載の電子機器。」
　
（２）補正後
「　【請求項１】
　アプリケーションに係る操作入力を時系列に並べた操作モジュールを生成する操作モジュール生成部と、
　前記生成された操作モジュールを記憶する記憶部と、
　前記操作モジュールの実行入力に応じて、該操作モジュールの前記アプリケーションに係る操作入力を順次実行する実行部と、
　前記記憶部に記憶された操作モジュール単位または該操作モジュールを構成する操作入力単位でその内容を把握可能に一覧表示する表示部と、を備えることを特徴とする電子機器。」
　
２．新規事項の有無、補正の目的要件について
　上記補正は、願書に最初に添付した明細書又は図面に記載した事項の範囲内において、補正前の特許請求の範囲の請求項３に記載された「表示部」における「表示する」を、「一覧表示する」と限定することにより、特許請求の範囲を減縮するものであるから、特許法第１７条の２第３項（新規事項）、及び第５項（補正の目的）の規定に適合している。
　
３．独立特許要件について
　上記補正は、特許請求の範囲の減縮を目的とするものであるから、上記補正後の発明が特許出願の際独立して特許を受けることができるものであるのか否かについて、以下に検討する。
　
（１）補正後の発明
　上記「１．（２）補正後」の項で認定したとおりである。
　
（２）引用例
　原査定の拒絶理由に引用され、本願出願前に公開された特開２００６−３０４１８１号公報（以下、「引用例」という。）には、図面とともに以下の事項が記載されている。
　
イ．「【技術分野】
【０００１】
  本発明は、携帯電話機及びその機能設定方法、機能設定システムに関する。」（２頁）
　
ロ．「【０００３】
  近年の携帯電話機は、単なる音声通信機能だけを有するのでは無く、カメラ機能、メール送受信機能、ＷＥＢ閲覧機能、スケジュール管理機能などといった、付加的な多くの機能を有している。このため、これらの機能を設定するための操作が複雑化しており、ユーザが戸惑いを覚える場面も少なくない。
【０００４】
  上述した問題を解決するために、従来から様々な技術が提案されている。例えば、使用頻度が高い機能を少ない操作で起動できるように、待ち受け画面に当該機能を設定するショートカットを自動的に作成する技術が知られている。また、ユーザ自身が使用頻度の高い機能を専用の機能設定メニューに登録し、利便性をあげることが知られている。また、携帯電話機を買い替えた場合には、前の携帯電話機において設定されていた機能を、サーバを介して新しい携帯電話機に設定可能とする技術が提案されている（例えば、特許文献１参照）。
【特許文献１】特開２００２−１６５００５号公報
【０００５】
  ところで、着信ランプの色がＲＧＢ３色のＬＥＤの組み合わせにより詳細に設定可能な携帯電話機において、ＲＧＢそれぞれのＬＥＤが８ｂｉｔで制御されている場合、着信ランプの色は２５６（８ｂｉｔ）の３乗、約１６．８Ｍ通りの色が設定可能となる。ユーザは、この着信ランプの配色の変化を見ながらＲＧＢのＬＥＤの設定値を任意に変更する。そして、気に入った配色になったところで、そのときのＲＧＢのＬＥＤの設定を保存する。しかしながら、一旦、別の配色に変更してしまうと、元の配色のＲＧＢのＬＥＤそれぞれの設定値は記憶されておらず、元の配色に戻すことが困難となる。
【発明の開示】
【発明が解決しようとする課題】
【０００６】
  このように、設定した機能の内容を記憶し、簡便にその設定内容に切り替えることが可能な携帯電話機が望まれている。」（３頁）
　
ハ．「【発明を実施するための最良の形態】
【００１１】
  実施の形態１．
  本発明の実施の形態１にかかる情報端末について、図１を参照して説明する。図１は、実施の形態にかかる情報端末の一例である携帯電話機１００の構成の一例を示すブロック図である。図１に示すように、本実施の形態にかかる携帯電話機１００は、送受信アンテナ１０１、無線部１０２、マイク１０３、制御部１０４、メモリ１０５、表示部１０６、操作部１０７、スピーカ１０８を備えている。本発明において注目すべき点は、携帯電話機１００における機能の設定方法である。携帯電話機１００の機能としては、表示機能、送信機能、受信機能、マイク機能、スピーカ機能などがある。
【００１２】
  送受信アンテナ１０１は、電波を送受信する。無線部１０２は、送受信アンテナ１０１において送受信される電波の復調処理及び変調処理を行う。マイク１０３は、ユーザの音声を集音する。制御部１０４は、携帯電話機１００の各部の動作制御を行う。メモリ１０５は、各機能の設定に必要な設定データなどを記憶する。また、メモリ１０５は、携帯電話機１００において、ユーザが機能の設定をする際に作成される機能設定操作データについても記憶する。表示部１０６は、液晶などを用いた表示パネルからなる。表示部１０６は、各機能を設定するためのメニュー表示を行う。操作部１０７は複数のキーを備え、当該キーの押下によって各機能の設定を確定する。スピーカ１０８は、音声情報を出力する。」（４頁）
　
ニ．「【００１５】
  ここで、図２を参照して、本実施の形態にかかる携帯電話機１００の機能設定方法について説明する。図２は、本実施の形態にかかる携帯電話機１００の機能設定方法を説明するフローチャートである。図２に示すように、本実施の形態にかかる携帯電話機１００において機能の設定をする場合、機能設定操作を記録するか否かを決定する（ステップＳ１１）。機能設定操作を記録しない（Ｎｏ）場合は、機能設定操作の記録を実施せずに、通常の機能設定を行うことができる。
【００１６】
  一方、機能設定操作を記録する（Ｙｅｓ）場合、機能設定操作の記録を開始する（ステップＳ１２）。この機能設定操作の記録の保存方法については、後に詳述する。そして、ユーザが、機能設定操作の記録停止を実行するまで、機能設定操作を記録し続ける。その
後、ユーザが機能設定操作の記録停止を実行する（ステップＳ１３）と、記録した機能設定操作データをメモリ１０５に保存する（ステップＳ１４）。すなわち、機能の設定を行う際の複数の操作の履歴が機能設定操作データとして保存される。
【００１７】
  そして、保存した機能設定操作データを用いて機能の設定を行う場合、制御部１０４は、操作部１０７の操作に応じてメモリ１０５から機能設定操作データを読み出し、表示部１０６上に表示する。そして、ユーザはその機能設定操作データを選択し、操作部１０７の操作によって携帯電話機１００に機能の設定を実行させる。これによって、複数の操作を経ることなく、機能設定を行うことができる。また、機能設定操作データはメモリ１０５に記憶されているので、一旦別の設定にしたとしても、再び機能設定操作データを選択するだけで、簡単にもとの設定に戻すことができる。
【００１８】
  ここで図３を参照して、機能設定操作データの保存方法について説明する。図３は、保存した機能設定操作データを説明する図である。携帯電話機１００の設定を種類に分類し、階層分けを行っている。その分類、階層分けされた設定のそれぞれに番号を付加している。図３において、縦方向に設定の種類を示している。また、横方向には設定の階層を示し、右側に行くほど階層が深くなる。
【００１９】
  例えば、携帯電話機１００に設けられた背面液晶ディスプレイのバックライトの発光色がＲＧＢ３色のＬＥＤの組み合わせにより設定可能な携帯電話機において、「ＲのＬＥＤに設定」する場合、まず「メインメニュー」（０ｘ００）を選択すると、「電話帳」、「スケジュール」、「各種設定」などが表示部１０６に表示される。その後、「各種設定」（０ｘ０３）を選択すると、「フォントサイズ」、「ディスプレイ設定」が表示部１０６に表示される。そして、「ディスプレイ設定」（０ｘ０２）を選択した後、「背面液晶設定」（０ｘ０３）を選択する。その後、「ＲＧＢ設定」を選択した後に「Ｒ設定（０ｘ０１）」という操作を行う。したがって、背面液晶ディスプレイのバックライトの発光色をＲに設定する操作を記録した場合、メモリ１０５に保存される機能設定操作データは、「０ｘ０１，０ｘ０３，０ｘ０２，０ｘ０３，０ｘ０１，０ｘ０１」となる。このように、機能設定操作データを簡易なテキストフォーマットとしてメモリ１０５に保存する。
【００２０】
  機能設定操作データの保存例を図４に示す。図４（ａ）は、フォントサイズを大きいサイズに変更した場合の、機能設定操作データを示している。また、図４（ｂ）は、背面液晶ディスプレイのバックライトの発光色を変更した場合の、機能設定操作データを示している。図４（ｃ）は、フォントサイズを大きいサイズに変更し、かつ、背面液晶ディスプレイのバックライトの発光色を変更した場合の、機能設定操作データを示している。図４（ｃ）に示すように、機能設定操作の記録開始から記録終了までの間に、複数の機能の設定を行った場合においても、その機能設定操作データは１つのデータとして保存される。
【００２１】
  従来、背面液晶ディスプレイの発光色をＲに設定する場合、上述のように「メインメニュー」を選択し、「各種設定」を選択する。そして、「ディスプレイ設定を選択した後、「背面液晶設定」を選択する。さらに、「ＲＧＢ設定」を選択した後に「Ｒ設定」を選択するという６段階の機能設定操作を行わなければならなかった。しかし、本発明においては、複数の機能設定操作であっても、それを連続して１つの機能設定操作データとして保存しておくため、メモリ１０５から所望の機能設定操作データを選択するだけで、簡便に機能設定を行うことができる。
【００２２】
  また、例えば、この着信ランプの配色の変化を見ながらユーザがＲＧＢのＬＥＤの設定値を任意に変更するような複雑な機能設定操作であっても、その機能設定操作を記録しておけば、一旦、別の配色に変更しても、元の配色のＲＧＢのＬＥＤそれぞれの設定値に容易に戻すことが可能である。また、複数の機能設定操作データを保存しておき、切り替えて使用することも可能である。」（４〜６頁）
　
　上記摘記事項のハ．【００１１】、【００１２】には、「携帯電話機各部の制御を行う制御部１０４」、「メモリ１０５、表示部１０６、操作部１０７」等を備え、「表示機能、送信機能、受信機能、マイク機能、スピーカ機能」等の複数の機能を有する「携帯電話機」が開示され、同イ．〜ニ．の記載から、当該「携帯電話機」は、「表示機能、送信機能、受信機能、マイク機能、スピーカ機能」等の機能の設定をすることができることが明らかである。
　また、上記摘記事項のニ．【００１５】、【００１６】、【００１９】には、「機能の設定をする場合、機能設定操作を記録するか否かを決定するステップ」と、「機能設定操作を記録する場合」、機能の設定を行う際の複数の操作、例えば、「背面液晶ディスプレイのバックライトの発光色をＲに設定する操作を記録」する場合の「機能設定操作データ」「０ｘ０１、０ｘ０３、０ｘ０２、０ｘ０３、０ｘ０１、０ｘ０１」を記録するステップと、記録した複数の「機能設定操作データ」、例えば、「前記背面液晶ディスプレイのバックライトの発光色」を設定する場合の「機能設定操作データ」、「フォントサイズ」を変更する場合の「機能設定操作データ」を「メモリ１０５に保存」するステップ、とを実行することが開示されている。
　また、上記摘記事項のニ．【００１７】には、「保存した機能設定操作データを用いて機能の設定を行う場合」、「操作部１０７の操作に応じて」、前記「メモリ１０５から機能設定データを読み出し、表示部１０６」に表示するステップと、表示された「機能設定操作データを選択し」、「機能の設定を実行させる」ステップと、により、「複数の操作を経ることなく」、機能の設定を行うことが開示されている。
　そして、前記各ステップが「制御部１０４」により実行されることは自明である。
　
　したがって、引用例には、以下の発明（以下、「引用発明」という。）が開示されていると認められる。
「携帯電話機各部の制御を行う制御部１０４、メモリ１０５、表示部１０６、操作部１０７等を備え、表示機能、送信機能、受信機能、マイク機能、スピーカ機能等の機能の設定を行うことができる携帯電話機であって、
　前記制御部１０４は、
　機能の設定をする場合、機能設定操作を記録するか否かを決定するステップと、
　機能設定操作を記録する場合、機能の設定を行う際の複数の操作、例えば、背面液晶ディスプレイのバックライトの発光色をＲに設定する操作を記録する場合の機能設定操作データ『０ｘ０１、０ｘ０３、０ｘ０２、０ｘ０３、０ｘ０１、０ｘ０１』を記録するステップと、
　記録した複数の機能設定操作データ、例えば、前記背面液晶ディスプレイのバックライトの発光色を設定する場合の機能設定操作データ、フォントサイズを変更する場合の機能設定操作データをメモリ１０５に保存するステップと、
　保存した機能設定操作データを用いて機能の設定を行う場合、操作部１０７の操作に応じて、前記メモリ１０５から機能設定データを読み出し、表示部１０６に表示するステップと、
　表示された機能設定操作データを選択し、機能の設定を実行させるステップと、を実行することにより、複数の操作を経ることなく、機能の設定を行うようにした携帯電話機。」
　
（３）対比・判断
　補正後の発明は、表示部に「一覧表示する」内容を、「操作モジュール単位または該操作モジュールを構成する操作入力単位」とし、「または」により択一的に記載しているので、ここでは、補正後の発明を「操作モジュール単位」で「一覧表示する」ものと認定し、引用発明と対比・判断する。
　まず、引用発明は、「携帯電話機」であるから、「電子機器」である点で補正後の発明と一致する。
　また、引用発明は、「制御部１０４は、・・・機能設定操作を記録する場合、機能の設定を行う際の複数の操作、例えば、背面液晶ディスプレイのバックライトの発光色をＲに設定する操作を記録する場合の機能設定操作データ『０ｘ０１、０ｘ０３、０ｘ０２、０ｘ０３、０ｘ０１、０ｘ０１』を記録するステップ・・・を実行する」ものであるところ、この「機能設定操作データ『０ｘ０１、０ｘ０３、０ｘ０２、０ｘ０３、０ｘ０１、０ｘ０１』」は、一連の操作に基づく設定動作を行うデータであるから、「操作入力を時系列に並べた操作モジュール」といえ、「制御部１０４」は、操作に基づき「機能設定操作データ」を発生するよう制御することは明らかであるから、「操作モジュール生成部」といえる。
　すると、引用発明は、生成する操作モジュールの対象が「アプリケーションに係る操作入力」である点は別にして、「操作入力を時系列に並べた操作モジュールを生成する操作モジュール生成部」を備える点で補正後の発明と一致する。
　そして、引用発明は、「制御部１０４は、・・・記録した複数の機能設定操作データ、例えば、前記背面液晶ディスプレイのバックライトの発光色を設定する場合の機能設定操作データ、フォントサイズを変更する場合の機能設定操作データをメモリ１０５に保存するステップ・・・を実行する」ものであるところ、この「メモリ１０５」は、記録（生成）した「機能設定操作データ（操作モジュール）」を保存するものであるから、補正後の発明の「生成された操作モジュールを記憶する記憶部」と一致する。
　さらに、引用発明は、「制御部１０４は、・・・保存した機能設定操作データを用いて機能の設定を行う場合、操作部１０７の操作に応じて、前記メモリ１０５から機能設定データを読み出し、表示部１０６に表示するステップと、表示された機能設定操作データを選択し、機能の設定を実行させるステップと、を実行する」ものであり、「表示された機能設定操作データ」の選択は、「操作モジュールの実行入力」といえ、「制御部１０４」は、その機能からみて「実行部」といえるから、「操作モジュールの実行入力に応じて、該操作モジュールに係る操作入力を順次実行する実行部」を備える点で補正後の発明と一致する。
　また、引用発明は、「制御部１０４は、・・・保存した機能設定操作データを用いて機能の設定を行う場合、操作部１０７の操作に応じて、前記メモリ１０５から機能設定データを読み出し、表示部１０６に表示するステップ・・・を実行する」ものであるところ、前記「機能の設定を実行させるステップ」で「表示された機能設定操作データを選択」するためには、「表示部１０６」に表示する「機能設定操作データ（操作モジュール）」の内容を把握可能にすることは自明であるから、引用発明は、表示が「一覧表示」である点は別にして、「記憶部に記憶された操作モジュール単位でその内容を把握可能に表示する表示部」を備える点で補正後の発明と一致する。
　
　以上によれば、補正後の発明と引用発明は、以下の点で一致し、また相違する。
　
（一致点）
「操作入力を時系列に並べた操作モジュールを生成する操作モジュール生成部と、
　前記生成された操作モジュールを記憶する記憶部と、
　前記操作モジュールの実行入力に応じて、該操作モジュールに係る操作入力を順次実行する実行部と、
　前記記憶部に記憶された操作モジュール単位でその内容を把握可能に表示する表示部と、を備える電子機器。」
　
（相違点１）
　上記「操作入力」に関し、補正後の発明は、「アプリケーションに係る操作」であるのに対して、引用発明は、「表示機能、送信機能、受信機能、マイク機能、スピーカ機能等」の「機能設定操作」である点。
　
（相違点２）
　上記「操作モジュール単位でその内容を把握可能に表示する」に関し、補正後の発明は、「一覧表示する」のに対して、引用発明は、当該構成について明示していない点。
　
　そこで、まず、相違点１について検討する。
　引用発明は、上記摘記事項のロ．【０００３】〜【０００６】に記載されているように、カメラ機能、メール送受信機能、ＷＥＢ閲覧機能、スケジュール管理機能といった付加的な多くの機能の設定操作について解決することを課題とするものであることが明らかである。
　すると、前記各機能がアプリケーションプログラムにより実行されることは技術常識であるから、前記課題によれば、引用発明において、「表示機能、送信機能、受信機能、マイク機能、スピーカ機能」といった通信機能以外にも、カメラ機能、メール送受信機能、ＷＥＢ閲覧機能、スケジュール管理機能といった複数のアプリケーションプログラムを設け、これらのアプリケーションプログラムに係る「操作入力」に基づき「機能設定操作データ（操作モジュール）」を生成すること、即ち相違点１に係る構成とすることは、当業者が容易になし得ることである。
　また、原査定の備考欄で引用された特開２００７−１５８６８４号公報の【０００８】に記載されているように、アプリケーションプログラムを実行させる操作入力を記憶し、その記憶された操作入力の情報を読み出すことで、記憶された操作入力に基づいたアプリケーションプログラムの実行状態を再現することは周知であるから、この周知技術からみても、「操作入力」を「アプリケーションに係る操作入力」とすることは、当業者が容易になし得ることである。
　次に、相違点２について検討する。
　記憶部に格納された複数の操作入力を再生するためのデータの一つを選択する際に、これら複数のデータを表示部に一覧表示することは、前記特開２００７−１５８６８４号公報（【００２８】等参照。）、前置報告書で引用された特開２００１−３４６２８号公報（【０００９】、【００２８】、【００３８】等参照。）に記載されているように、携帯電話機や、マクロをもとに編集して出力するデータ編集システム等、各種技術分野で慣用されている周知技術である。
　上記周知技術によれば、引用発明において、「メモリ１０５に保存」された「機能設定操作データ（操作モジュール）を選択」するために、この「機能設定操作データ」の内容を「一覧表示」すること、即ち、相違点２に係る構成とすることは、当業者が容易になし得ることである。
　
　そして、補正後の発明の作用効果は、引用発明、及び周知技術から当業者が予測し得るものであって、格別のものではない。
　
（４）まとめ
　以上のとおり、補正後の発明は、引用発明、及び周知技術に基づいて、当業者が容易に発明できたものであるから、特許法第２９条第２項の規定により、特許出願の際独立して特許を受けることができないものである。
　
４．むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３．本願発明について
１．本願発明
　平成２４年　７月　９日付けの手続補正は上記のとおり却下されたので、本願の請求項３に係る発明（以下、「本願発明」という。）は、平成２４年　１月１３日付け手続補正によって補正された明細書、特許請求の範囲及び図面の記載からみて、上記「第２．１．（１）補正前」の項に記載した特許請求の範囲の請求項３に記載されたとおりのもの（「第２．１．（１）補正前」、参照。）と認められる。
　　
２．引用発明
　引用発明は、上記「第２．３．（２）引用例」の項で認定したとおりである。
　
３．対比・判断
　そこで、本願発明と引用発明とを対比すると、本願発明は上記補正後の発明から当該補正に係る限定を省いたものである。
　そうすると、本願発明の構成に当該補正に係る限定を付加した補正後の発明が、上記「第２．３．（３）対比・判断」の項で検討したとおり、引用発明、及び周知技術に基づいて当業者が容易に発明できたものであるから、本願発明も同様の理由により、当業者が容易に発明できたものである。
　
４．むすび
　以上のとおり、本願発明は、引用発明、及び周知技術に基づいて当業者が容易に発明をすることができたものと認められるから、特許法第２９条第２項の規定により特許を受けることができない。
　
　よって、結論のとおり審決する。